(57)【要約】衝撃に敏感な機器用、特にラップトップ用の安定させ緩衝するフレーム要素を備えたバッグであって、バッグが外カバーを有し、この外カバーがその内面の少なくとも部分領域で少なくとも１つの略円筒形フレーム要素に結合されている。【選択図】図１
2004509680.tif 000002
【特許請求の範囲】
【請求項１】
衝撃に敏感な機器用、特にラップトップ用のバッグ（１）であって、バッグ（１）が外カバー（２）を有し、この外カバーがその内面の少なくとも部分領域で少なくとも１つの略円筒形フレーム要素（３）に結合されているバッグ。
【請求項２】
フレーム要素（３）が管形に構成されていることを特徴とする、請求項１記載の衝撃に敏感な機器用のバッグ（１）。
【請求項３】
管形フレーム要素（３）が５ｍｍ〜５０ｍｍ、好ましくは１０ｍｍの外径を有することを特徴とする、請求項１または２記載の衝撃に敏感な機器用のバッグ（１）。
【請求項４】
管形フレーム要素（３）が０．５ｍｍ〜１５ｍｍ、好ましくは１ｍｍの壁厚を有することを特徴とする、請求項１〜３のいずれか１項記載の衝撃に敏感な機器用のバッグ（１）。
【請求項５】
管形フレーム要素（３）が軽金属、アルミニウム、プラスチック、ゴム、発泡体、天然ゴムおよび／またはこれらの材料の組合せ体からなることを特徴とする、請求項１〜４のいずれか１項記載の衝撃に敏感な機器用のバッグ（１）。
【請求項６】
管形フレーム要素（３）が略８字形横断面（４）を有することを特徴とする、請求項１〜５のいずれか１項記載の衝撃に敏感な機器用のバッグ（１）。
【請求項７】
チューブ（３）の略８字形横断面（４）が、管形フレーム要素を広い領域にわたってその縦軸線に沿って少なくとも１つの継目（５）によって区画することによって達成されることを特徴とする、請求項１〜６のいずれか１項記載の衝撃に敏感な機器用のバッグ（１）。
【請求項８】
継目（５）が縫着、溶接または接着されることを特徴とする、請求項１〜７のいずれか１項記載の衝撃に敏感な機器用のバッグ（１）。
【請求項９】
管形フレーム要素（３）がその外周面に布を備えていることを特徴とする、請求項１〜８のいずれか１項記載の衝撃に敏感な機器用のバッグ（１）。
【請求項１０】
管形フレーム要素（３）が外周面の少なくとも部分領域にベルクロファスナーを備えていることを特徴とする、請求項１〜９のいずれか１項記載の衝撃に敏感な機器用のバッグ（１）。
【請求項１１】
管形フレーム要素（３）が少なくともその一端（７）にベルクロファスナー（９）を備えていることを特徴とする、請求項１〜１０のいずれか１項記載の衝撃に敏感な機器用のバッグ（１）。
【請求項１２】
外カバー（２）を補足して木材、金属および／またはプラスチック製のフレームが設けられていることを特徴とする、請求項１〜１１のいずれか１項記載の衝撃に敏感な機器用のバッグ（１）。
【請求項１３】
外カバー（２）がプラスチック、皮革、布および／またはフィルムで形成されることを特徴とする、請求項１〜１２のいずれか１項記載の衝撃に敏感な機器用のバッグ（１）。
【請求項１４】
外カバー（２）が内面に少なくとも１つのフレーム要素用固着要素を有することを特徴とする、請求項１〜１３のいずれか１項記載の衝撃に敏感な機器用のバッグ（１）。
【請求項１５】
固着要素がベルクロファスナー（１０）として構成されていることを特徴とする、請求項１〜１４のいずれか１項記載の衝撃に敏感な機器用のバッグ（１）。
【請求項１６】
固着要素がスナップファスナーとして構成されていることを特徴とする、請求項１〜１５のいずれか１項記載の衝撃に敏感な機器用のバッグ（１）。
【請求項１７】
フレーム要素が外カバー（２）と内カバー（１１）との間に配置されていることを特徴とする、請求項１〜１６のいずれか１項記載の衝撃に敏感な機器用のバッグ（１）。
【請求項１８】
少なくとも２つのフレーム要素（３）が並置されていることを特徴とする、請求項１〜１７のいずれか１項記載の衝撃に敏感な機器用のバッグ（１）。
【請求項１９】
バッグの少なくとも下面にフレーム要素（３）が配置されていることを特徴とする、請求項１〜１８のいずれか１項記載の衝撃に敏感な機器用のバッグ（１）。
【請求項２０】
管形フレーム要素（３）の末端がそれぞれ少なくとも概ね気密に閉鎖されていることを特徴とする、請求項１〜１９のいずれか１項記載の衝撃に敏感な機器用のバッグ（１）。
【請求項２１】
外カバー（２）および／またはフレーム（１３）に設けられる切欠き（１４）内に少なくとも１つのフレーム要素（３）が配置されていることを特徴とする、請求項１〜２０のいずれか１項記載の衝撃に敏感な機器用のバッグ（１）。
【発明の詳細な説明】
【０００１】
【従来の技術】
書類やラップトップを輸送するために、木材、金属またはプラスチックからなる剛性フレームを有するバッグが公知である。このようなバッグは一方できわめて頑丈であるが、しかし他方で重量が重いという欠点を有し、この欠点はラップトップの自重が重いことを考えると無視することができない。
【０００２】
さらに、補強するフレームを持たないバッグが公知であるが、このようなバッグは寸法安定性を持たない。
【０００３】
さらには、外カバーと内カバーとの間に嵌め込まれる平坦な発泡体要素を専ら、または剛性フレームを補足して、有するバッグが公知である。平坦な発泡体要素は厚さが薄い場合十分な緩衝作用を持たず、また僅かに安定的に作用するだけである。発泡体要素の厚さが厚い場合バッグは過度に大きくなり、もしくはバッグの内部空間が過度に小さくなる。
【０００４】
さらに、ラップトップを受容するためのループをフレームに固着して有するバッグまたはアタッシュケースを使用することが公知である。ラップトップは衝撃保護を保証するとされるループに掛けられるが、バッグの底との間隔が不十分な場合ラップトップは破損する。
【０００５】
公知のバッグはさらに、バックの底と掛けられたラップトップとの間に間隔が不可欠なためバッグの構造寸法が比較的大きい欠点を有する。さらに、ラップトップを掛けていないときループが邪魔になる。
【０００６】
【発明が解決しようとする課題】
本発明の課題は、寸法安定性を持たせて構成されて衝撃による機器破損に対して高い保護を提供する衝撃に敏感な機器を輸送するためのバッグを形成することであり、このバッグは、同時に僅かな重量において僅かな構造寸法を有していなければならない。
【０００７】
【課題を解決するための手段】
この課題は本発明によれば、衝撃に敏感な機器用、特にラップトップ用のバッグであって、バッグが外カバーを有し、この外カバーがその内面の少なくとも部分領域で少なくとも１つの略円筒形フレーム要素に結合されているものによって解決される。本発明の利点は、円筒形または管形に構成されたフレーム要素が同じ材料使用量において、別形状に形成されたフレーム要素、例えば平坦、棒状に形成されたフレーム要素よりも曲げに対して高い断面係数を有することにある。それゆえに、本発明によるフレーム要素は僅かな材料使用量でバッグの寸法安定性を達成することを可能とし、結果として重量が軽くなる。同時に管形要素は、別形状に形成されたフレーム要素、例えば平坦、棒状に形成されたフレーム要素とは異なり、衝撃荷重に対して向上した保護を保証する。このような円筒形フレーム要素は、安定させかつ緩衝する作用を有するので特別有利である。殊に公知の平坦な発泡体要素とは異なり、本発明によるフレーム要素は曲げに対して一層高い断面係数を有し、これによりバッグは安定にされて形状を保たれる。バッグが寸法安定性を有し、衝撃に敏感な機器が衝撃から保護されているように、フレーム要素が安定させおよび／または緩衝するように構成されていると有利である。円筒形もしくは管形フレーム要素は、同じ材料使用量において例えば棒状フレーム要素よりも曲げに対して一層高い断面係数を有する。こうして、棒状または平坦なフレーム要素を使用するのと比較して、一層少ない材料使用量において管形フレーム要素を使用することによってバッグの所定の寸法安定性を達成することが可能である。フレーム要素用に使用される材料、例えばアルミニウムの必須量が少ないことによって、本発明によるバッグは公知バッグと同じ寸法安定性において一層軽い重量を有し、付加的にフレーム要素の管形設計によって本発明によるバッグは付加的衝撃保護を提供する。さらに、略円筒形フレーム要素がバッグに安定性を付与し、付加的に機器を衝撃から保護するので、バッグの寸法を衝撃に敏感な機器の寸法に最適に適合できることが有利である。バッグの底とループに掛けられた機器との間に間隔が不可欠ではなく、これによりバッグの構造寸法は低減できる。
【０００８】
本発明の意味におけるバッグとは例えばかばん、アタッシュケース、ショルダーバッグまたは類似物である。
【０００９】
本発明の意味における衝撃に敏感な機器とは例えばラップトップ、ビデオカメラ等のオーディオ・ビデオ機器、写真機、ＣＤプレーヤまたは類似物である。
【００１０】
本発明の有利な構成では、フレーム要素が管形に構成されている。このように構成されたフレーム要素は、衝撃が一層良好に緩和される利点を有する。この作用は、略管形フレーム要素がその末端をそれぞれ少なくとも概ね気密に閉鎖されていることによって強化される。これにより、フレーム要素の管形設計によってだけでなく、包囲された空気クッションによっても、衝撃吸収は達成される。さらに、本発明によるフレーム要素が高い断面係数を有するので、バッグの安定化が達成される。
【００１１】
本発明の有利な構成では、管形フレーム要素が例えばアルミニウム等の軽金属、プラスチック、ゴム、発泡体および／またはこれらの材料の組合せ体からなる。
【００１２】
アルミニウムまたは硬質プラスチック、例えば繊維強化プラスチックからなるフレーム要素は安定化作用が強いという利点を有するが、緩衝作用が弱く、不可逆的変形をもたらすことがある。発泡体、プラスチック、ゴム、特に天然ゴムからなるフレーム要素は緩衝作用が強いという利点を有し、安定化作用が弱いが、しかし荷重は一般に不可逆的変形を生じない。主として安定させる材料と緩衝する材料との組合せ体、例えばアルミニウム／発泡体の組合せ体は、強安定化材料（アルミニウム）の肯定的材料特性と強緩衝性材料（発泡体）の肯定的材料特性とを組合せる。
【００１３】
例えば、安定化作用を達成するために、その外周面に衝撃吸収のために発泡体カバーを有するアルミニウム製フレーム要素を使用することが可能である。強い衝撃はアルミニウム管によって不可逆的に減衰され、すなわち管は衝撃後に変形したままとなる。軽い衝撃は発泡体によって可逆的に減衰され、すなわち発泡体は少なくとも概ねその原形状をとる。
【００１４】
フレーム要素用に発泡体を単独でまたは付加的に使用することによって衝撃・打撃吸収の向上が達成される。さらに、独立気泡発泡体は水分も吸収しない。
【００１５】
発泡体の代りに一層硬質のプラスチックを利用することも可能であり、その際このプラスチックは十分なばね作用を持たねばならない。
【００１６】
本発明の望ましい構成では、管形フレーム要素が５ｍｍ〜５０ｍｍ、好ましくは１０ｍｍの外径を有する。
【００１７】
本発明の他の望ましい構成では、管形フレーム要素が０．５ｍｍ〜１５ｍｍ、好ましくは１ｍｍの壁厚を有する。
【００１８】
本発明の有利な構成では、管形フレーム要素が略８字形横断面を有する。管形または８字形横断面を有するフレーム要素は強いばね作用と曲げモーメントに対する高い断面係数とを有する。８字形横断面を有するフレーム要素は管形チューブに比べて僅かな厚さ、それとともに僅かな構造寸法を有する。本発明の他の構成では、フレーム要素が倍数の８字形横断面を有することも可能である。
【００１９】
本発明の有利な構成では、管形フレーム要素を広い領域にわたってその縦軸線に沿って少なくとも１つの継目によって区画することによって管形フレーム要素の略８字形横断面が達成される。管形フレーム要素は継目によって２つの室に分割される。例えば３つ以上の室を有するフレーム要素を生成するために２つ以上の縦継目を管形フレーム要素に備えると望ましいことがある。
【００２０】
本発明の他の有利な構成では、継目が縫着、溶接または接着される。
【００２１】
本発明の望ましい構成では、管形フレーム要素がその外周面に布を備えている。この布は例えば視覚上の理由から裏地材とすることができる。
【００２２】
本発明の有利な構成では、管形フレーム要素が外周面の少なくとも部分領域にベルクロファスナーを備えている。このような構成は、フレーム要素を例えば外カバーの側壁で付属するベルクロファスナーに固着できるので有利である。
【００２３】
本発明の他の有利な構成では、管形フレーム要素が少なくともその一端にベルクロファスナーを備えている。チューブの末端に配置されるベルクロファスナーの利点として、フレーム要素の各末端でベルクロファスナーをバッグの上面および／または下面もしくは側部に結合することによってチューブはバッグを区画するのに利用することができる。
【００２４】
本発明の望ましい構成では、外カバーを補足して木材、金属および／またはプラスチック製のフレームが設けられている。外カバーとフレームとのこのように形成された組合せ体は利点として、一方でフレームが高い剛性を有し、他方で管形フレーム要素をクッションとして使用することによって衝撃に敏感な機器が衝撃から保護されており、またフレームを補足して補強される。
【００２５】
本発明の他の有利な構成では、外カバーがプラスチック、皮革、布および／またはフィルムで形成される。布および／またはフィルムを外カバーとして使用すると利点としてこのような外カバーは軽量であり、これによりバッグは総重量が少ない。略管形フレーム要素は緩衝作用を補足して安定化機能も有し、外カバーに固着されまたはそこに嵌め込まれたフレーム要素を有するバッグは概ね固有剛性を有する。フレーム要素と外カバーとの結合は縫着、溶接および／または接着によって行うことができる。
【００２６】
本発明の望ましい構成では、外カバーが内面に少なくとも１つのフレーム要素用固着要素を有する。
【００２７】
本発明の他の望ましい構成では、固着要素がベルクロファスナーとして構成されている。
【００２８】
本発明の他の望ましい構成では、固着要素がスナップファスナーとして構成されている。本発明の他の構成において、固着要素は渦巻ファスナー（Ｗｉｒｂｅｌｖｅｒｓｃｈｌｕｓｓ）またはターンロックファスナーとして構成しておくこともできる。
【００２９】
本発明の有利な構成では、フレーム要素が外カバーと内カバーとの間に配置されている。これにより、フレーム要素自体は利用者には見えず、動かすことのできないように固定することができる。
【００３０】
さらに、フレームに設けられる切欠き内に少なくとも１つのフレーム要素が配置されていると有利である。このような設計の利点としてフレーム要素は保護作用および／または安定化作用が必要とされるフレーム個所にのみ最適に配置される。
【００３１】
本発明の他の有利な構成では、少なくとも２つのフレーム要素が並置されている。さらに、フレーム要素は滑って位置がずれることはない。
【００３２】
本発明の有利な構成では、バッグの少なくとも下面または底にフレーム要素が配置されている。
【００３３】
【発明の実施の形態】
１実施例の略図を基に本発明が説明される。
【００３４】
図１が示すバッグ１は衝撃に敏感な機器用、特にラップトップ用であり、このバッグが外カバー２を有し、この外カバーはその内面の少なくとも部分領域に略管形フレーム要素３を有する。本発明の意味における衝撃に敏感な機器とは例えばラップトップ、ビデオカメラ等のオーディオ・ビデオ機器、写真機、ＣＤプレーヤーおよび類似物である。幅全体にわたって機器の確実な保護を保証するために各２つのフレーム要素３が並置されている。
【００３５】
図２は管またはチューブとして構成された本発明によるフレーム要素３を示す。このようなフレーム要素は安定させて衝撃を十分に減衰することができる。管またはチューブがアルミニウム、発泡体、プラスチックおよび／または天然ゴムからなると有利である。発泡体を使用することによって衝撃・打撃吸収のさらなる向上が達成される。さらに、独立気泡発泡体は水分も吸収しない。フレーム要素３は外周面に布８を有することができる。
【００３６】
図３が示す管形フレーム要素は略８字形横断面４を有する。８字形横断面４を有する管形フレーム要素は管形フレーム要素に比較して厚さが薄く、したがって構造寸法が小さい。８字形横断面を有する管形フレーム要素の区画は、広い領域にわたってその縦軸線に沿って延びる継目によって達成される。継目５によって管形フレーム要素は２つの室６に分割される。例えば３つの室を有するフレーム要素３を生成するために２つ以上の縦継目を管形フレーム要素に備えるのが望ましいことがある。継目５は縫着、溶接または接着することができる。
【００３７】
図４から読み取ることができるように、発泡体、天然ゴム、プラスチックまたは類似材料を利用した場合略管形フレーム要素３がその末端７をそれぞれ少なくとも概ね気密に閉鎖されているときフレーム要素３の弾性・緩衝作用は強化される。これにより、フレーム要素３の管形設計によってだけでなく、室６内の包囲された空気クッションによっても、衝撃吸収は達成される。管形フレーム要素３がその外周面に布８を備えている。
【００３８】
管形フレーム要素４がその末端にベルクロファスナー９を備えていると有利である。これによりフレーム要素３は例えば外カバー１の側壁で付属するベルクロファスナー１０に固着することができる。付属するベルクロファスナー１０はバッグ１の内カバー１１に配置しておくことができる（図５）。
【００３９】
図５が示すように、管形フレーム要素４の末端に配置されるベルクロファスナー９は、ベルクロファスナー９をフレーム要素４の各末端でバッグ１の上面および／または下面もしくは側部に結合することによって、バッグ１を区画するのに管形フレーム要素４を利用できる利点を有する。
【００４０】
外カバー２は、例えば木材、金属および／またはプラスチックから構成されるフレームである。このようなフレームは高い剛性を有する。外カバー２は布、皮革および／またはフィルムで形成しておくこともでき、これによりバッグは総重量が比較的少ない。このように形成されたバッグ１の場合、略管形フレーム要素４は緩衝作用を補足して安定化機能も有し、バッグ１は外カバー２に固着されまたはそこに嵌め込まれたフレーム要素４で概ね固有剛性を有する。フレーム要素３と外カバーとの結合は縫着、溶接および／または接着によって行うことができ、もしくはフレーム要素４は外カバー２と内カバー１１との間に緩く挿入され、および／または外カバー２および内カバー１１に固着される。
【図面の簡単な説明】
【図１】本発明によるバッグの斜視図である。
【図２】管形フレーム要素を示す。
【図３】８字形横断面のフレーム要素を示す。
【図４】固着手段を有するフレーム要素を示す。
【図５】本発明によるバッグの他の実施形態の斜視図である。
【図６】他のフレーム要素を示す。
【図７】フレーム要素の他の構成を示す。
【国際公開パンフレット】
2004509680.tif 000003
2004509680.tif 000004
2004509680.tif 000005
2004509680.tif 000006
2004509680.tif 000007
2004509680.tif 000008
2004509680.tif 000009
2004509680.tif 000010
2004509680.tif 000011
2004509680.tif 000012
2004509680.tif 000013
2004509680.tif 000014
2004509680.tif 000015
2004509680.tif 000016
2004509680.tif 000017
2004509680.tif 000018
2004509680.tif 000019
2004509680.tif 000020
2004509680.tif 000021
【手続補正書】
【提出日】平成15年1月1日(2003.1.1)
【手続補正１】
【補正対象書類名】明細書
【補正対象項目名】特許請求の範囲
【補正方法】変更
【補正の内容】
【特許請求の範囲】
【請求項１】
衝撃に敏感な機器用、特にラップトップ用のバッグ（１）であって、バッグ（１）が外カバー（２）を有し、この外カバーがその内面の少なくとも部分領域で少なくとも１つの略円筒形フレーム要素（３）に結合されているものにおいて、安定させ減衰する管形フレーム要素（３）を広い領域にわたってその縦軸線に沿って少なくとも１つの継目（５）によって区画することによって少なくとも２つの室を有することを特徴とするバッグ。
【請求項２】
管形フレーム要素（３）が略８字形横断面（４）を有することを特徴とする、請求項１記載の衝撃に敏感な機器用のバッグ（１）。
【請求項３】
管形フレーム要素（３）が倍数の８字形横断面を有することを特徴とする、請求項１〜２のいずれか１項記載の衝撃に敏感な機器用のバッグ（１）。
【請求項４】
継目（５）が縫着、溶接または接着されることを特徴とする、請求項１〜３のいずれか１項記載の衝撃に敏感な機器用のバッグ（１）。
【請求項５】
管形フレーム要素（３）が５ｍｍ〜５０ｍｍ、好ましくは１０ｍｍの外径を有することを特徴とする、請求項１〜４のいずれか１項記載の衝撃に敏感な機器用のバッグ（１）。
【請求項６】
管形フレーム要素（３）が０．５ｍｍ〜１５ｍｍ、好ましくは１ｍｍの壁厚を有することを特徴とする、請求項１〜５のいずれか１項記載の衝撃に敏感な機器用のバッグ（１）。
【請求項７】
管形フレーム要素（３）が軽金属、アルミニウム、プラスチック、ゴム、発泡体、天然ゴムおよび／またはこれらの材料の組合せ体からなることを特徴とする、請求項１〜６のいずれか１項記載の衝撃に敏感な機器用のバッグ（１）。
【請求項８】
管形フレーム要素（３）がその外周面に布を備えていることを特徴とする、請求項１〜７のいずれか１項記載の衝撃に敏感な機器用のバッグ（１）。
【請求項９】
管形フレーム要素（３）が外周面の少なくとも部分領域にベルクロファスナーを備えていることを特徴とする、請求項１〜８のいずれか１項記載の衝撃に敏感な機器用のバッグ（１）。
【請求項１０】
管形フレーム要素（３）が少なくともその一端（７）にベルクロファスナー（９）を備えていることを特徴とする、請求項１〜９のいずれか１項記載の衝撃に敏感な機器用のバッグ（１）。
【請求項１１】
外カバー（２）を補足して木材、金属および／またはプラスチック製のフレームが設けられていることを特徴とする、請求項１〜１０のいずれか１項記載の衝撃に敏感な機器用のバッグ（１）。
【請求項１２】
外カバー（２）がプラスチック、皮革、布および／またはフィルムで形成されることを特徴とする、請求項１〜１０のいずれか１項記載の衝撃に敏感な機器用のバッグ（１）。
【請求項１３】
外カバー（２）が内面に少なくとも１つのフレーム要素用固着要素を有することを特徴とする、請求項１〜１２のいずれか１項記載の衝撃に敏感な機器用のバッグ（１）。
【請求項１４】
固着要素がベルクロファスナー（１０）として構成されていることを特徴とする、請求項１〜１３のいずれか１項記載の衝撃に敏感な機器用のバッグ（１）。
【請求項１５】
固着要素がスナップファスナーとして構成されていることを特徴とする、請求項１〜１４のいずれか１項記載の衝撃に敏感な機器用のバッグ（１）。
【請求項１６】
フレーム要素が外カバー（２）と内カバー（１１）との間に配置されていることを特徴とする、請求項１〜１５のいずれか１項記載の衝撃に敏感な機器用のバッグ（１）。
【請求項１７】
少なくとも２つのフレーム要素（３）が並置されていることを特徴とする、請求項１〜１６のいずれか１項記載の衝撃に敏感な機器用のバッグ（１）。
【請求項１８】
バッグの少なくとも下面にフレーム要素（３）が配置されていることを特徴とする、請求項１〜１７のいずれか１項記載の衝撃に敏感な機器用のバッグ（１）。
【請求項１９】
管形フレーム要素（３）の末端がそれぞれ少なくとも概ね気密に閉鎖されていることを特徴とする、請求項１〜１８のいずれか１項記載の衝撃に敏感な機器用のバッグ（１）。
【請求項２０】
外カバー（２）および／またはフレーム（１３）に設けられる切欠き（１４）内に少なくとも１つのフレーム要素（３）が配置されていることを特徴とする、請求項１〜１９のいずれか１項記載の衝撃に敏感な機器用のバッグ（１）。
【国際調査報告】
2004509680.tif 000022
2004509680.tif 000023
2004509680.tif 000024
2004509680.tif 000025